(57)【特許請求の範囲】
【請求項１】
埋め込み型の照明器具であって、
光源を収容する灯具と、
一端が前記灯具に回動可能かつ任意の角度で固定可能に取付けられた一対のアームと、  前記一対のアームの他端を回動可能かつ任意の角度で固定可能に支持するとともに、前記一対のアームの他端同士を連結する連結部材と、
前記連結部材を旋回可能に支持する支持部本体と、を有し、
前記支持部本体が、前記灯具の第１の幅よりも広い第２の幅を有し、前記灯具を首振り可能に内包する全体Ｃ字状に湾曲しており、前記支持部本体の下部に、上下に開口を有する枠体が取り付けられていることを特徴とする照明器具。
【請求項２】
前記支持部本体に、前記連結部材の旋回角度を制限するストッパを設けたことを特徴とする請求項１記載の照明器具。
【発明の詳細な説明】
【技術分野】
【０００１】
本発明は、天井面や壁面等に埋め込んで所望の方向に照明光を照射するのに適した照明器具に関するものである。
【背景技術】
【０００２】
従来の埋め込み型の照明器具において所望の方向に照明光を照射するものが知られている（例えば特許文献１参照）。
図９に示すように、特許文献１に記載の照明器具１００では、下方が開口した矩形状の箱体１０１の内部の天井面１０１ａにレール１０２を敷設し、このレール１０２に灯具１０３を、回転可能かつ摺動可能に取付ける。すなわち、灯具１０３は、光源を収容する灯具本体１０４と、灯具本体１０４を回動可能に支持する吊下げアーム１０５を有している。吊下げアーム１０５は、左右一対のアーム１０５ａ、１０５ｂとこのアーム１０５ａ、１０５ｂの上端を連結する連結部１０５ｃを有しており、連結部１０５ｃの上面には、レール１０２に係止される円形状の取付部１０６を有している。
【０００３】
従って、吊下げアーム１０５をレール１０２に対して回転させ、灯具本体１０４をアーム１０２ａ、１０２ｂの先端で回転させることにより、例えば、鉛直方向に対して４５度の範囲において、任意の方向に光を照射することができるようになっている。
【特許文献１】特開２００５−２６１００号公報（第１図）
【発明の開示】
【発明が解決しようとする課題】
【０００４】
しかしながら、前述した特許文献１に記載の照明器具１００においては、灯具１０３を回動させる際に、アーム１０５ａ、１０５ｂの先端を中心として回動するために、灯具１０３が箱体１０１に接触しないように、吊下げアーム１０５を移動させるためのレール１０２を設けねばならず、部品点数の増加を招くとともに照明器具１００の大型化を招くという問題があった。
【０００５】
本発明は、従来の問題を解決するためになされたもので、部品点数を減少させるとともにコンパクトで広い照射範囲を確保することのできる照明器具を提供することを目的とする。
【課題を解決するための手段】
【０００６】
本発明の照明器具は、埋め込み型の照明器具であって、光源を収容する灯具と、一端が前記灯具に回動可能かつ任意の角度で固定可能に取付けられた一対のアームと、前記一対のアームの他端を回動可能かつ任意の角度で固定可能に支持するとともに、前記一対のアームの他端同士を連結する連結部材と、前記連結部材を旋回可能に支持する支持部本体と、を有し、前記支持部本体が、前記灯具の第１の幅よりも広い第２の幅を有し、前記灯具を首振り可能に内包する全体Ｃ字状に湾曲しており、前記支持部本体の下部に、上下に開口を有する枠体が取り付けられている構成を有している。
【０００７】
この構成により、一端部において灯具を回動可能に支持するアームの他端部を回動可能とするとともに、アームを支持する支持部本体を全体Ｃ字状としたので、支持部本体を固定した状態で灯具を任意の方向へ回動させることができ、広い照射範囲を確保することができる。また、全体をコンパクト化することができるので、天井等に照明器具を取付ける際に、小さな開口で取付けることができ、外観を向上させることができる。
【０００９】
この構成により、灯具は支持部本体に対して所定の範囲で回動することになるので、灯具に電力を供給している電源線がねじれて巻きつくことにより断線するのを防止することができる。
【発明の効果】
【００１０】
本発明は、一端部において灯具を回動可能に支持するアームの他端部を回動可能とするとともに、アームを支持する支持部本体を全体Ｃ字状としたので、支持部本体を固定した状態で灯具を任意の方向へ回動させることができ、広い照射範囲を確保することができる。また、全体をコンパクト化することができるので、天井等に照明器具を取付ける際に、小さな開口で取付けることができ、外観を向上させることができるという効果を有する照明器具を提供することができるものである。
【発明を実施するための最良の形態】
【００１１】
以下、本発明の実施形態の照明器具について、図面を用いて説明する。
図１は本発明の実施形態にかかる照明器具を取付けた状態を示す側面図、図２は照明器具を取付けた状態を示す正面図、図３（Ａ）は照明器具の平面図、図３（Ｂ）は図３（Ａ）中Ｂ−Ｂ位置の断面図、図４は照明器具を天井に取付ける手順を示す側面図、図５（Ａ）は灯具をＡ方向へ回動させた状態を示す側面図、図５（Ｂ）はＢ方向へ回動させた状態を示す側面図、図６は照射範囲を示す平面図、図７は図５（Ｂ）の照明器具を示す斜視図、図８は灯具を旋回させた状態の一例を示す斜視図である。
【００１２】
図１および図２に示すように、照明器具１０においては、光源であるランプ２１（図５参照）を収容する灯具２０が、一対のアーム３１、３１を介して支持部本体３０に吊下げられている。各アーム３１は、一端（ここでは下端）３１ａが灯具２０に回動可能かつ任意の角度で固定可能に取付けられており、他端（ここでは上端）３１ｂ（図４参照）は各アーム３１の他端３１ｂ同士を連結する連結部材３２に回動可能かつ任意の角度で固定可能に支持されている。
【００１３】
従って、アーム３１は、複数箇所（ここでは２箇所）で回動可能に支持されることになる。なお、灯具２０とアーム３１との連結およびアーム３１と連結部材３２との連結は、例えば、図２に示すように、バネ３４ａを挟んでネジ３４を締結することにより摩擦力を発生させ、摩擦力以上の力で回動させることにより回動可能となり、摩擦力以下の外力に対しては固定可能となる。
【００１４】
図２に示すように、支持部本体３０は、円筒形状の灯具２０を回動可能かつ旋回可能に収容するため、灯具２０の幅Ｂ１よりも広い幅Ｂ２を有する全体Ｃ字状をしており、平面状の天板３０ａの中央には丸孔３３（図３参照）が形成されている。この丸孔３３には、図３（Ｂ）に示すように、旋回機構３８を介して連結部材３２が旋回可能に取付けられている。
【００１５】
また、図２および図７に示すように、支持部本体３０の背面３０ｂには幅方向の両端部を残して切欠き３３が設けられており、灯具２０の回動および旋回の際に灯具２０と支持部本体３０とが干渉しないようになっている。なお、ランプ２１に電力を供給する電源線１２は、灯具２０の上面２０ａから出て、支持部本体３０の天板３０ａに設けられている導入孔から電源に配線されている。電源線１２は、灯具２０の移動を規制しないように、十分の余裕を持って灯具２０に接続されている。
【００１６】
図３（Ａ）および（Ｂ）に示すように、支持部本体３０の天板３０ａ下面と連結部材３２の上面との隙間には、ストッパ３９ａ、３９ｂが設けられている。例えば、天板３０ａの下面の２箇所にストッパ３９ａ、３９ａを設け、連結部材３２の上面にストッパ３９ｂを１箇所設ける。このとき、ストッパ３９ｂを連結部材３２の中心線上に設けるとともに、ストッパ３９ａ、３９ａは連結部材３２の中心線上からずらして設けるのが望ましい。これにより、連結部材３２は、旋回機構３８を中心として、略１８０°の旋回（図３において矢印Ａ）が可能になる。
【００１７】
図１および図２に示すように、支持部本体３０の下部には、上下に開口を有する矩形の枠体３５が取付けられており、枠体３５の下面には中央に矩形の切欠き３６ａ（図６および図７参照）を有する化粧板３６が取付けられている。枠体３５の部分が天井１１に取り付けられることになるので、天井１１には枠体３５の大きさに対応した開口１１ａが設けられることになる。
【００１８】
また、図２に示すように、枠体３５の対向する一対の側面の外側下部には、板バネ部材３７が外側に向かって大きく張り出して設けられている。従って、枠体３５を天井１１の開口１１ａに挿入すると、板バネ部材３７が内側へ変形させられ、その反発力により照明器具１０を天井１１に保持することになる。なお、化粧板３６は枠体３５よりも大き目となっているので、天井１１の開口１１ａと枠体３５との隙間や板バネ部材３７は化粧板３６によって隠され、外観を向上させている。
【００１９】
次に、本発明にかかる照明器具１０を天井１１に取付ける手順について説明する。
図４に示すように、まず天井１１に枠体３５の大きさに対応する開口１１ａを設けておく。そして、図４中矢印Ｃに示すように、全体Ｃ字形状の支持部本体３０の先端３０Ａを下側から天井１１の開口１１ａに挿入するとともにＣ形状に沿って矢印Ｃのように回転させて、支持部本体３０の上部を天井１１の上に移動させる。このとき、アーム３１が２箇所で回動可能に支持されているので、灯具２０を図４中矢印Ａ方向へ回動させることにより、灯具２０が天井１１と干渉しないように挿入することができる。
【００２０】
次いで、図４において矢印Ｄに示すように照明器具１０を上昇させ、枠体３５を天井１１の開口１１ａに嵌める。このとき、板バネ部材３７の先端３７ａ（図２参照）を支持部本体３０の側面に近づけておき、支持部本体３０とともに開口１１ａに挿入する。そして、枠体３５を開口１１ａに嵌めると、板バネ部材３７は弾性力により拡がるので、照明器具１０は天井１１に係止されることになる（図２参照）。
【００２１】
このように、Ｃ字形状に沿って支持部本体３０を開口１１ａに挿入するので、図１に示すように、開口１１ａの長さＷ１よりも長いＷ２の支持部本体３０を有する照明器具１０を取付けることが可能になり、開口１１ａを小さくすることができる。なお、図２に示すように、支持部本体３０の幅Ｂ２は開口１１ａの幅と略同じである。
【００２２】
次に、灯具２０の照射方向の変更動作について説明する。
図１および図２では、照明器具１０の照明方向（すなわち灯具２０の中心線方向）は天井１１の開口１１ａの真下である。また、灯具２０は、アーム３１および灯具２０の回動によって支持部本体３０の中心線ＣＬ（図２参照）に沿った鉛直平面上を回動可能となっているので、図５（Ａ）に示すように、アーム３１の上下の支持部（ネジ３４）を回動させて図１中Ａ方向へ回動させることにより、狭い枠体３５の内部にもかかわらず４５°まで照明範囲を確保することができる。そして、この状態で連結部材３２を旋回させることにより、図６中Ａ側の略１８０°を照射範囲とすることができる。
【００２３】
同様に、灯具２０を図１中Ｂ方向へ回動させることにより図５（Ｂ）に示すように４５°の照射範囲を確保することができ、さらに旋回させることにより、図６中Ｂ側の略１８０°を照射範囲とすることができる。
これにより、照射範囲は、略３６０°確保されることになる。
【００２４】
以上、説明した照明器具１０によれば、一端部３１ａにおいて灯具２０を回動可能に支持するアーム３１の他端部３１ｂを回動可能とするとともに、アーム３１を支持する支持部本体３０を全体Ｃ字状としたので、支持部本体３０を固定した状態で灯具２０を任意の方向へ回動させることができる。また、全体をコンパクト化することができるので、天井１１等に照明器具１０を取付ける際に、小さな開口１１ａで取付けることができ、外観を向上させることができる。
【００２５】
また、支持部本体３０に、連結部材３２の旋回角度を制限するストッパ３９ａ、３９ｂを設けたので、灯具２０は支持部本体３０に対して所定の範囲で回動することになり、灯具２０に電力を供給している電源線１２がねじれて巻きついて断線するのを防止することができる。
【００２６】
なお、本発明の照明器具は、前述した実施形態に限定されるものでなく、適宜な変形，改良等が可能である。
例えば、前述した実施形態においては、照明器具１０を天井１１に埋め込む場合について説明したが、本発明の照明器具１０は壁に埋め込む場合にも適用可能である。
【産業上の利用可能性】
【００２７】
以上のように、本発明にかかる照明器具は、一端部において灯具を回動可能に支持するアームの他端部を回動可能とするとともに、アームを支持する支持部本体を全体Ｃ字状としたので、支持部本体を固定した状態で灯具を任意の方向へ回動させることができ、広い照射範囲を確保することができる。また、全体をコンパクト化することができるので、天井等に照明器具を取付ける際に、小さな開口で取付けることができ、外観を向上させることができるという効果を有し、天井面や壁面等に埋め込んで所望の方向に照明光を照射するのに適した照明器具等として有用である。
【図面の簡単な説明】
【００２８】
【図１】本発明の実施形態にかかる照明器具を取付けた状態を示す側面図
【図２】照明器具を取付けた状態を示す正面図
【図３】（Ａ）は照明器具の平面図、（Ｂ）は（Ａ）中Ｂ−Ｂ位置の断面図
【図４】照明器具を天井に取付ける手順を示す側面図
【図５】（Ａ）は灯具をＡ方向へ回動させた状態を示す側面図、（Ｂ）はＢ方向へ回動させた状態を示す側面図
【図６】照射範囲を示す平面図
【図７】図５（Ｂ）の照明器具を示す斜視図
【図８】灯具を旋回させた状態の一例を示す斜視図
【図９】従来の埋め込み型の照明器具を示す断面図
【符号の説明】
【００２９】
１０  照明器具
２０  灯具
３０  支持部本体
３１  アーム
３１ａ  一端
３１ｂ  他端  
３２  連結部材
３９ａ、３９ｂ  ストッパ
【図１】
0005020038.tif 000002
【図２】
0005020038.tif 000003
【図３】
0005020038.tif 000004
【図４】
0005020038.tif 000005
【図５】
0005020038.tif 000006
【図６】
0005020038.tif 000007
【図７】
0005020038.tif 000008
【図８】
0005020038.tif 000009
【図９】
0005020038.tif 000010